(57)【要約】錠剤管用の封止物は、管と接続されたリングと、タブおよび前記リングと前記蓋の間の切り取り部分の／不正開封を防止するためのウェブによってリングと接続された蓋と、を備える。前記タブは、切り取り部分の／不正開封を防止するためのウェブを介してリングおよび蓋と接続される。
2009515779.tif 000002
【特許請求の範囲】
【請求項１】
管、容器またはパッケージと接続されたリング（３）と、
タブ（４）および前記リング（３）と蓋（２）の間の切り取り部分の／不正開封を防止するためのウェブ（７ｂ）によって前記リング（３）と接続された蓋（２）と、を備え、
前記タブ（４）は、切り取り部分の／不正開封を防止するためのウェブ（７ａ）を介して前記リング（３）および前記蓋（２）と接続されることを特徴とする管、容器またはパッケージ用の封止物（１）。
【請求項２】
前記蓋（２）は、ヒンジ（８）によって前記リング（３）と接続されることを特徴とする請求項１に記載の封止物（１）。
【請求項３】
前記切り取り部分の／不正開封を防止するためのウェブ（７ａ，７ｂ）がちぎられた後に前記リングが落ちるのを防ぐために、前記リングの内部が管、容器またはパッケージに合うように、リングが設計されることを特徴とする請求項１または２に記載の封止物（１）。
【請求項４】
前記タブ（４）の外周の一部分は、切り取り部分の／不正開封を防止するためのウェブ（７ａ）を介して前記リング（３）と接続され、前記タブ（４）の外周の他の部分は、切り取り部分の／不正開封を防止するためのウェブ（７ｂ）を介して前記蓋（２）と接続されることを特徴とする請求項１乃至３のいずれか１つに記載の封止物（１）。
【請求項５】
前記リング（３）と前記蓋（２）の間の前記切り取り部分の／不正開封を防止するためのウェブ（７ｂ）は、前記リング（３）および前記蓋（２）の外周の部分に存在し、前記タブ（４）の切り取り部分の／不正開封を防止するためのウェブ（７ａ）もヒンジ（８）も、そこに存在しないことを特徴とする請求項１乃至４のいずれか１つに記載の封止物（１）。
【請求項６】
前記切り取り部分の／不正開封を防止するためのウェブ（７ａ，７ｂ）は、互いに所定距離に位置することを特徴とする請求項１乃至５のいずれか１つに記載の封止物（１）。
【請求項７】
前記切り取り部分の／不正開封を防止するためのウェブ（７ａ，７ｂ）は、互いに等距離に位置することを特徴とする請求項６に記載の封止物（１）。
【請求項８】
前記切り取り部分の／不正開封を防止するためのウェブ（７ａ，７ｂ）は、これらの切り取り部分の／不正開封を防止するためのウェブ（７ａ，７ｂ）がタブ（４）に近づけば近づくほど、２つのウェブの間のスペースが広くなるように配置されることを特徴とする請求項６に記載の封止物（１）。
【請求項９】
前記封止物（１）は、円状または楕円状であることを特徴とする請求項１乃至８のいずれか１つに記載の封止物（１）。
【請求項１０】
前記タブ（４）は、前記封止物（１）の外周に前記ヒンジ（８）と対向して位置することを特徴とする請求項２に記載の封止物（１）。
【請求項１１】
前記タブ（４）は、前記リング（３）の外径を超えて延在しないことを特徴とする請求項１乃至１０のいずれか１つに記載の封止物（１）。
【請求項１２】
前記蓋（２）は乾燥剤を含むことを特徴とする請求項１乃至１１のいずれか１つに記載の封止物（１）。
【請求項１３】
前記封止物（１）は、高さが１０〜４０ｍｍの範囲にあり、好ましくは１５〜３０ｍｍの範囲にあることを特徴とする請求項１乃至１２のいずれか１つに記載の封止物（１）。
【請求項１４】
前記封止物（１）は、直径が１０〜５０ｍｍの範囲にあり、好ましくは２０〜４０ｍｍの範囲にあることを特徴とする請求項１乃至１３のいずれか１つに記載の封止物（１）。
【請求項１５】
前記タブ（４）は、幅が８〜４０ｍｍの範囲にあり、好ましくは１５〜２５ｍｍの範囲にあることを特徴とする請求項１乃至１４のいずれか１つに記載の封止物（１）。
【請求項１６】
前記タブ（４）は、高さが２〜２０ｍｍの範囲にあり、好ましくは７〜１３ｍｍの範囲にあることを特徴とする請求項１乃至１５のいずれか１つに記載の封止物（１）。
【請求項１７】
前記封止物（１）は、スナップ方式タイプのものであることを特徴とする請求項１乃至１６のいずれか１つに記載の封止物（１）。
【請求項１８】
前記蓋（２）は、上面にグリップ部を有することを特徴とする請求項１乃至１７のいずれか１つに記載の封止物（１）。
【請求項１９】
前記蓋（２）は、上面に会社ロゴおよび／またはブランド名および／またはブランドロゴを有することを特徴とする請求項１乃至１８のいずれか１つに記載の封止物（１）。
【請求項２０】
前記封止物（１）は、ポリマー材料でできており、射出成形によって製造されることを特徴とする請求項１乃至１９のいずれか１つに記載の封止物（１）。
【請求項２１】
絵文字（５）または用語がタブ（４）に付けられ、蓋（２）を開ける前にタブ（４）が取り除かれなければならないこと、およびこのタブのどちら側を最初に引っ張るかをユーザに知らせることを特徴とする請求項１乃至２０のいずれか１つに記載の封止物（１）。
【請求項２２】
請求項１に記載の封止物を初めて開けるための方法であって、
窓（９）および蓋の底面が見えるようにタブ（４）を取り除くステップと、
前記蓋（２）の底面に力を加えることによって、前記蓋（２）と前記リング（３）の間の前記切り取り部分の／不正開封を防止するためのウェブ（７ｂ）をちぎるステップと、
前記封止物（１）を開けるステップと、を含むことを特徴とする方法。
【請求項２３】
請求項１に記載の封止物を開けるための方法であって、
前記封止物（１）の前記リング（３）領域の窓（９）の中に親指を入れるステップと、
前記蓋（２）の底面に力を加えることによって、前記蓋（２）と前記リング（３）の間の前記切り取り部分の／不正開封を防止するためのウェブ（７ｂ）をちぎるステップと、
前記封止物（１）を開けるステップと、を含むことを特徴とする方法。
【請求項２４】
前記力が、前記封止物（１）の前記リング（３）領域の前記窓（９）の中に親指を入れることによって、前記蓋（２）の底面に加えられることを特徴とする請求項２２または２３に記載の方法。
【請求項２５】
請求項１に記載の封止物を閉じるための方法であって、
前記封止物（１）と共に管、容器またはパッケージをつかむステップと、
人差し指または親指で前記封止物（１）の上部を押すステップと、
前記蓋（２）を前記リング（３）にパチンと留めさせるステップと、を含むことを特徴とする方法。
【発明の詳細な説明】
【技術分野】
【０００１】
本発明は、管、容器またはパッケージ用の不正開封を防止するための封止物（closure）に関する。
【背景技術】
【０００２】
様々なタイプの不正開封を防止するための封止物は、以前から公知である。公知の不正開封を防止するための封止物は、不正開封を防止するためのリングを含む。不正開封を防止するためのリングを有する不正開封を防止するための封止物は、錠剤用の瓶や管のような通常直径が５〜６ｃｍ以下の封止物を有する瓶や他の容器に使用される。例えば、ＥＰ０２０２５０６Ｂ１（特許文献１）に、不正開封を防止するためのリングを含む封止物を有する容器が開示されている。
【０００３】
また、最新式として公知の不正開封を防止するための封止物は、不正開封を防止するためのタブを備える。タブは、切り取り部分の／不正開封を防止するためのウェブ（webs）によって、封止物の一側面で、蓋および管、容器またはパッケージの本体と接続され、封止物を開ける前に取り除かれなければならない。不正開封を防止するためのタブは蓋を有するプラスチックでできたカップ状のパッケージによく使用される。それは、例えば瓶の封止物と比較して大きな直径（５〜６ｃｍより大きい）を有する。ＦＲ２７０７９５８（特許文献２）およびＪＰ２００４１７５４３６（特許文献３）に開示されているように、管と共に不正開封を防止するためのタブを使用することは公知である。不正開封を防止するためのタブは利点を有する。１つ目の利点は、不正開封を防止するための封止物がちぎられたまたは操作されたか否かを消費者が認識することは、不正開封を防止するためのリングを用いるよりもより明らかであることである。２つ目の利点は、タブをはがすことはリングをちぎるより容易であることである。
【０００４】
【特許文献１】欧州特許第０２０２５０６号明細書
【特許文献２】仏国特許出願公開第２７０７９５８号明細書
【特許文献３】特開２００４−１７５４３６号公報
【発明の開示】
【発明が解決しようとする課題】
【０００５】
最新式の装置は、不正開封を防止するためのリングまたは不正開封を防止するためのタブを有する。不正開封を防止するためのタブが取り除かれていても、管、容器またはパッケージが実際に開けられた否か明確でない。管、容器またはパッケージが実際に開けられていなかったとしても、何らかの理由でタブは取り除かれることがあるので、消費者は管、容器またはパッケージを不必要に捨ててしまうかもしれない。他方で、それが不正開封を防止するためのリングを有していれば、消費者は管、容器またはパッケージが開けられたことに気付かないかもしれない。
【０００６】
不正開封を防止するためのリングの不利な点は、最新式の装置において、リングを封止物と接続する切り取り部分の／不正開封を防止するためのウェブがちぎられたときに、不正開封を防止するためのリングが落ちることである。
【０００７】
従って、解決されるべき問題は、管、容器またはパッケージが操作されたことを消費者に警告するが、消費者が実際に開けられていない管、容器またはパッケージを不必要に捨てることを防止する封止物を提供することである。
【課題を解決するための手段】
【０００８】
この問題は、管および蓋と接続されたリングを有する管、容器またはパッケージ用の封止物によって解決される。それは、リングと蓋の間のヒンジ、タブ、切り取り部分の／不正開封を防止するためのウェブによってリングに取り付けられる。タブは、切り取り部分の／不正開封を防止するためのウェブを介してリングおよび蓋に取り付けられる。
【０００９】
管が初めて開けられる前に、不正開封を防止するためのリングおよびタブは、切り取り部分の／不正開封を防止するためのウェブおよびヒンジによって蓋と接続される。初めて管を開けるために、タブとリング、タブと蓋それぞれの間の切り取り部分の／不正開封を防止するためのウェブをちぎってタブを取り除くことは最初に必要なことである。タブが取り除かれると、大きな「窓」が利用可能になる。消費者は、この窓の中に親指を入れて、蓋を押し上げることができる。そうすることで、リングと蓋の間の切り取り部分の／不正開封を防止するためのウェブもちぎられる。ヒンジは、蓋とリングの間の接続として残され、リングが落ちるのを防ぐ。他の実施形態において、ヒンジがない場合でもリングが落ちるのを防ぐために、リングの内部が管、容器またはパッケージに合うように、リングは設計される。
【００１０】
好ましくは、切り取り部分の／不正開封を防止するためのウェブは、互いに所定距離に位置する。より好ましくは、互いに等距離に位置する。他の実施形態において、最初に開けるための力を減らしまたは調整するために、切り取り部分の／不正開封を防止するためのウェブは、これらの切り取り部分の／不正開封を防止するためのウェブがタブに近づけば近づくほど、２つのウェブの間のスペースが広くなるように配置される。
【００１１】
１つの実施形態において、タブは封止物の外周にヒンジと対向して位置する。好ましくは、梱包ライン上でより良い効率性を保証するために、タブはリングの外径を超えて延在しない。タブは、幅が８〜４０ｍｍの範囲にあり、好ましくは１５〜２５ｍｍの範囲にあり、そして高さが２〜２０ｍｍの範囲にあり、好ましくは７〜１３ｍｍの範囲にある。絵文字または用語がタブに付けられ、蓋を開ける前にタブが取り除かれなければならないこと、およびタブのどちら側を最初に引っ張るかをユーザに指示する。
【００１２】
封止物は、円状または楕円状である。好ましくは、封止物は、高さが１０〜４０ｍｍの範囲にあり、好ましくは１５〜３０ｍｍの範囲にあり、そして直径が１０〜５０ｍｍの範囲にあり、好ましくは２０〜４０ｍｍの範囲にある。蓋は、固有の空洞に乾燥剤や、中に乾燥剤および／または活性剤を有する付属の缶を含み得る。
【００１３】
１つの実施形態において、グリップ部は蓋の上部上にある。グリップ部を用いて、人差し指または親指で封止物の上部を押すことによって蓋は閉められ得る。
【００１４】
好ましくは、封止物は、スナップ方式タイプのものである。
【００１５】
本発明による封止物は、好ましくはプラスチックまたはアルミニウムの剛体管に使用され得る。封止物がポリマー材料でできているなら、射出成形によって製造され得る。
【００１６】
本発明に係る封止物を初めて開けるための方法も、ここに開示している。この方法は、窓および蓋の底面が見えるようにリング領域からタブを取り除くステップを含む。蓋の底面に力を加えることによって、例えば窓の中に親指を入れることによって、ユーザは蓋とリングの間の切り取り部分のウェブをちぎる。これによって、封止物を開ける。次回封止物を開けるとき、ユーザはタブを取り除くステップなしに同じ手順を用いる。
【００１７】
封止物を閉じるために、ユーザは封止物と共に管、容器またはパッケージをつかみ、人差し指または親指で封止物の上部を押し、蓋をリングにパチンと留めさせる。
【発明を実施するための最良の形態】
【００１８】
図１は、初めて開ける前の封止物１を示す。封止物１は、蓋２と、不正開封を防止するためのリング３と、タブ４とを備える。不正開封を防止するためのリング３およびタブ４は、切り取り部分のウェブ７ａ，７ｂおよび（図２に示す）ヒンジ８によって蓋２と接続される。タブ４上の矢印５は、開ける前にタブ４が取り除かれなければならないことをユーザに知らせる。図１に示す例において、封止物１は高さが２２．５ｍｍであり、直径が３４．５ｍｍである。タブ４は幅が２０ｍｍであり、高さが１０ｍｍである。
【００１９】
図２は、開いた状態の封止物を示す。タブ４は取り除かれる。タブ４の外周の一部分は、切り取り部分のウェブ（図示せず）を介してリング３と接続され、タブ４の外周の他の部分は、切り取り部分のウェブ７ａを介して蓋２と接続される。タブ４とリング３、タブ４と蓋２それぞれの間の切り取り部分のウェブ７ａはちぎられる。リング３と蓋２の間の切り取り部分のウェブ７ｂはちぎられる。切り取り部分のウェブ７ｂは、リング３および蓋２の外周の部分に存在したが、ヒンジ８および切り取り部分のウェブ７ａはそこに存在しない。
【００２０】
図３は、タブが取り除かれて閉じた状態の封止物を示す。タブ４が取り除かれると、大きな窓９が利用可能になる。ユーザは窓９の中に親指を入れて、蓋２を押し上げることにより片手で封止物１を開けることができる。蓋２は、人差し指または親指で蓋２の上部を押すことによりグリップ部６によって再度閉じられ得る。
【図面の簡単な説明】
【００２１】
【図１】初めて開ける前の封止物を示す。
【図２】開いた状態の封止物を示す。
【図３】タブが取り除かれて閉じた状態の封止物を示す。
【図１】
2009515779.tif 000003
【図２】
2009515779.tif 000004
【図３】
2009515779.tif 000005
【国際調査報告】
2009515779.tif 000006
2009515779.tif 000007
2009515779.tif 000008